(57)【要約】【課題】ＩＣカードを利用し伝言を伝えることが可能な伝言配信システムを提供すること。【解決手段】伝言配信システムは、カード固有情報に加えて伝言情報本体及び伝言コードのうちの少なくとも一方を含むデータフォーマットを受信し管理する管理手段（１、１０２）と、カード固有情報が記録されたＩＣカードから情報を読み取る読取手段（２、１６ａ）と、前記読取手段により読み取られた情報に含まれるカード固有情報に基づき、前記管理手段により管理されたデータフォーマットの中から、このカード固有情報を含むデータフォーマットを検索する検索手段（１、１０３）と、前記検索手段により検索されたデータフォーマットに含まれる伝言情報本体及び伝言コードのうちの少なくとも一方をＩＣカードへ送信する送信手段（２、１６ｂ）とを備えている。【選択図】      図１
2005196393.tif 000002
【特許請求の範囲】
【請求項１】
カード固有情報に加えて伝言情報本体及び伝言コードのうちの少なくとも一方を含むデータフォーマットを受信し管理する管理手段と、
カード固有情報が記録されたＩＣカードから情報を読み取る読取手段と、
前記読取手段により読み取られた情報に含まれるカード固有情報に基づき、前記管理手段により管理されたデータフォーマットの中から、このカード固有情報を含むデータフォーマットを検索する検索手段と、
前記検索手段により検索されたデータフォーマットに含まれる伝言情報本体及び伝言コードのうちの少なくとも一方をＩＣカードへ送信する送信手段と、
を備えたことを特徴とする伝言配信システム。
【請求項２】
自動改札装置及び管理装置を備えた伝言配信システムであって、
管理装置は、
カード固有情報に加えて伝言情報本体及び伝言コードのうちの少なくとも一方を含むデータフォーマットを受信し管理する管理手段を備え、
前記自動改札装置は、
カード固有情報が記録され、且つ金額情報及び有効乗車区間情報のうちの少なくとも一方が記録されたＩＣカードから情報を読み取る読取手段と、
前記読取手段により読み取られた金額情報及び有効乗車区間情報のうちの少なくとも一方に基づき改札処理を実行する改札手段と、
前記読取手段により読み取られた情報に含まれるカード固有情報に基づき、前記管理手段により管理されたデータフォーマットの中から、このカード固有情報を含むデータフォーマットを検索する検索手段と、
前記検索手段により検索されたデータフォーマットに含まれる伝言情報本体及び伝言コードのうちの少なくとも一方をＩＣカードへ送信する送信手段と、
を備えたことを特徴とする伝言配信システム。
【請求項３】
カード固有情報に加えて伝言情報本体及び伝言コードのうちの少なくとも一方を含むデータフォーマットを受信し管理する管理装置と接続された自動改札装置であって、
カード固有情報が記録され、且つ金額情報及び有効乗車区間情報のうちの少なくとも一方が記録されたＩＣカードから情報を読み取る読取手段と、
前記読取手段により読み取られた金額情報及び有効乗車区間情報のうちの少なくとも一方に基づき改札処理を実行する改札手段と、
前記読取手段により読み取られた情報に含まれるカード固有情報に基づき、前記管理装置により管理されたデータフォーマットの中から、このカード固有情報を含むデータフォーマットを検索した結果、検出されたデータフォーマットに含まれる伝言情報本体及び伝言コードのうちの少なくとも一方をＩＣカードへ送信する送信手段と、
を備えたことを特徴とする自動改札装置。
【請求項４】
カード固有情報に加えて伝言情報本体及び伝言コードのうちの少なくとも一方を含むデータフォーマットを受信し管理する管理装置と接続され、改札通路に沿って設置される自動改札装置であって、
カード固有情報が記録され、且つ金額情報及び有効乗車区間情報のうちの少なくとも一方が記録されたＩＣカードから情報を読み取るものであって、前記改札通路の入口側に位置する読取手段と、
前記読取手段により読み取られた金額情報及び有効乗車区間情報のうちの少なくとも一方に基づき改札処理を実行する改札手段と、
前記読取手段により読み取られた情報に含まれるカード固有情報に基づき、前記管理装置により管理されたデータフォーマットの中から、このカード固有情報を含むデータフォーマットを検索した結果、検出されたデータフォーマットに含まれる伝言情報本体及び伝言コードのうちの少なくとも一方をＩＣカードへ送信するものであって、前記改札通路の出口側に位置する送信手段と、
を備えたことを特徴とする自動改札装置。
【請求項５】
カード固有情報に加えて、金額情報及び有効乗車区間情報のうちの少なくとも一方を記憶する記憶手段と、
所定の情報を受信する通信手段と、
前記通信手段により受信された所定の情報を表示する表示手段と、
を備えたことを特徴とするＩＣカード。
【請求項６】
カード固有情報に加えて、金額情報及び有効乗車区間情報のうちの少なくとも一方を記憶する記憶手段と、
前記記憶手段に記憶されたカード固有情報を送信し、このカード固有情報に基づき検索された伝言情報を受信する通信手段と、
前記通信手段により受信された伝言情報を表示する表示手段と、
を備えたことを特徴とするＩＣカード。
【請求項７】
カード固有情報に加えて、金額情報及び有効乗車区間情報のうちの少なくとも一方を記憶し、さらに伝言コードに対応する伝言情報本体を記憶する記憶手段と、
前記記憶手段に記憶されたカード固有情報を送信し、このカード固有情報に基づき検索された伝言コードを受信する通信手段と、
前記通信手段により受信された伝言コードに対応する伝言情報本体を表示する表示手段と、
を備えたことを特徴とするＩＣカード。
【請求項８】
カード固有情報に加えて伝言情報本体及び伝言コードのうちの少なくとも一方を含むデータフォーマットを受信し管理する管理手段と、
所定のカード固有情報を受信し、このカード固有情報に基づき、前記管理手段により管理されたデータフォーマットの中から、このカード固有情報を含むデータフォーマットを検索する検索手段と、
前記検索手段により検索されたデータフォーマットに含まれる伝言情報本体及び伝言コードのうちの少なくとも一方を送信する送信手段と、
を備えたことを特徴とする伝言管理装置。
【請求項９】
自動改札装置に接続された伝言管理装置であって、
カード固有情報に加えて伝言情報本体及び伝言コードのうちの少なくとも一方を含むデータフォーマットを受信し管理する管理手段と、
カード固有情報が記録され、且つ金額情報及び有効乗車区間情報のうちの少なくとも一方が記録されたＩＣカードから読み取られた情報に含まれるカード固有情報を前記自動改札装置から受け取り、このカード固有情報に基づき、前記管理手段により管理されたデータフォーマットの中から、このカード固有情報を含むデータフォーマットを検索する検索手段と、
前記検索手段により検索されたデータフォーマットに含まれる伝言情報本体及び伝言コードのうちの少なくとも一方を前記自動改札装置へ送信する送信手段と、
を備えたことを特徴とする伝言管理装置。
【発明の詳細な説明】
【技術分野】
【０００１】
本発明は、目的の送信先へ伝言を送信する伝言配信システムに関する。また、本発明は、この伝言配信システムに適用される自動改札装置、ＩＣカード、及び伝言管理装置（サーバ）に関する。
【背景技術】
【０００２】
例えば、鉄道関係において、改札の省力化を目的として、駅構内への入場口或いは駅構内からの出場口には、自動改札装置が設置されている。交通機関を利用する利用者は、駅構内へ入場或いは駅構内から出場する際、又はある営業路線から別の営業路線へ乗り換える際、自動改札装置による改札処理を受ける。つまり、利用者は、自身が携帯する乗車券を自動改札装置に投入する。自動改札装置は、投入された乗車券を受け取り、乗車券に記録された各種情報（入場駅情報及び有効運賃情報を含む普通乗車券情報、有効区間情報及び有効期限情報を含む定期券情報、或いは金額情報）を読み取り、入場又は出場の改札可否を判定し、乗車券を返却又は回収する。自動改札装置は、乗車券に記録された情報の読み取り結果に基づき、運賃不足、区間外、又は期限切れなどの理由から改札否と判定すると、ドアの開閉を制御して利用者を駅構内に入場させない、駅構内から出場させない、又は乗り換えを許可しないようにする。
【０００３】
さらに近年では、無線ＩＣカードに対応した無線対応の自動改札装置の普及により、急速にその利便性が向上している（特許文献１参照）。特に、定期券及びＳＦ（Stored Fare）の機能を兼ね備えた無線ＩＣカードに対して予め金額チャージしておき、この無線ＩＣカードを利用すれば、無線対応の自動改札装置の改札処理において必要に応じて自動精算を受けることが可能となる。つまり、定期区間を乗り越しても、精算機に並ぶ必要なく改札口を通過することができる。
【特許文献１】特開平９−３０５８０９
【発明の開示】
【発明が解決しようとする課題】
【０００４】
上記したような無線ＩＣカード及び自動改札装置の普及に伴い、これら無線ＩＣカード及び自動改札装置を利用する利用者に対するさらなるサービスの提供が望まれている。
【０００５】
例えば、上記したような自動改札装置が設置された駅には、伝言板が設置されており、この伝言板を利用して駅利用者に対して伝言を伝えることができる。また、近年急速に普及した携帯電話を利用して伝言を伝えることもできる。
【０００６】
しかしながら、駅の伝言板は認知度は低く、伝言板に伝言を書き込んでも、書き込まれた伝言が相手に伝わり難いという問題があった。また、携帯電話等は大多数の人に普及しているものの、携帯電話を所持していない者や携帯電話を携帯し忘れた者に対しては、連絡を取ることはできない。
【０００７】
本発明の目的は、上記課題を解決するためになされたものであり、ＩＣカードを利用し伝言を伝えることが可能な伝言配信システムを提供することにある。また、本発明の目的は、このような伝言配信システムに適用可能な自動改札装置、ＩＣカード、及び伝言管理装置を提供することにある。
【課題を解決するための手段】
【０００８】
この発明の伝言配信システム、自動改札装置、ＩＣカード、及び伝言管理装置は、以下のように構成されている。
【０００９】
（１）この発明の伝言配信システムは、カード固有情報に加えて伝言情報本体及び伝言コードのうちの少なくとも一方を含むデータフォーマットを受信し管理する管理手段と、カード固有情報が記録されたＩＣカードから情報を読み取る読取手段と、前記読取手段により読み取られた情報に含まれるカード固有情報に基づき、前記管理手段により管理されたデータフォーマットの中から、このカード固有情報を含むデータフォーマットを検索する検索手段と、前記検索手段により検索されたデータフォーマットに含まれる伝言情報本体及び伝言コードのうちの少なくとも一方をＩＣカードへ送信する送信手段とを備えている。
【００１０】
（２）この発明の伝言配信システムは、自動改札装置及び管理装置を備えた伝言配信システムであって、管理装置は、カード固有情報に加えて伝言情報本体及び伝言コードのうちの少なくとも一方を含むデータフォーマットを受信し管理する管理手段を備え、前記自動改札装置は、カード固有情報が記録され、且つ金額情報及び有効乗車区間情報のうちの少なくとも一方が記録されたＩＣカードから情報を読み取る読取手段と、前記読取手段により読み取られた金額情報及び有効乗車区間情報のうちの少なくとも一方に基づき改札処理を実行する改札手段と、前記読取手段により読み取られた情報に含まれるカード固有情報に基づき、前記管理手段により管理されたデータフォーマットの中から、このカード固有情報を含むデータフォーマットを検索する検索手段と、前記検索手段により検索されたデータフォーマットに含まれる伝言情報本体及び伝言コードのうちの少なくとも一方をＩＣカードへ送信する送信手段とを備えている。
【００１１】
（３）この発明の自動改札装置は、カード固有情報に加えて伝言情報本体及び伝言コードのうちの少なくとも一方を含むデータフォーマットを受信し管理する管理装置と接続された自動改札装置であって、カード固有情報が記録され、且つ金額情報及び有効乗車区間情報のうちの少なくとも一方が記録されたＩＣカードから情報を読み取る読取手段と、前記読取手段により読み取られた金額情報及び有効乗車区間情報のうちの少なくとも一方に基づき改札処理を実行する改札手段と、前記読取手段により読み取られた情報に含まれるカード固有情報に基づき、前記管理装置により管理されたデータフォーマットの中から、このカード固有情報を含むデータフォーマットを検索した結果、検出されたデータフォーマットに含まれる伝言情報本体及び伝言コードのうちの少なくとも一方をＩＣカードへ送信する送信手段とを備えている。
【００１２】
（４）この発明のＩＣカードは、カード固有情報に加えて、金額情報及び有効乗車区間情報のうちの少なくとも一方を記憶する記憶手段と、所定の情報を受信する通信手段と、前記通信手段により受信された所定の情報を表示する表示手段とを備えている。
【００１３】
（５）この発明の伝言管理装置は、カード固有情報に加えて伝言情報本体及び伝言コードのうちの少なくとも一方を含むデータフォーマットを受信し管理する管理手段と、所定のカード固有情報を受信し、このカード固有情報に基づき、前記管理手段により管理されたデータフォーマットの中から、このカード固有情報を含むデータフォーマットを検索する検索手段と、前記検索手段により検索されたデータフォーマットに含まれる伝言情報本体及び伝言コードのうちの少なくとも一方を送信する送信手段とを備えている。
【発明の効果】
【００１４】
本発明によれば、ＩＣカードを利用し伝言を伝えることが可能な伝言配信システムを提供できる。また、本発明によれば、このような伝言配信システムに適用可能な自動改札装置、ＩＣカード、及び伝言管理装置を提供できる。
【発明を実施するための最良の形態】
【００１５】
以下、図面を参照し、本発明の実施形態について説明する。
【００１６】
図１は、この発明の一例に係る伝言配信システムの概略構成を示す図である。図１に示すように、伝言配信システムは、サーバ１及び自動改札装置２を備えている。サーバ１は、例えば通信部１０１、記憶部１０２、検索部１０３を備えている。サーバ１は、通信部１０１により自動改札装置と接続されており、サーバ１と自動改札装置２は互いに情報交換可能な構成となっている。さらに、サーバ１は、通信部１０１によりインターネット又はイントラネットを介して外部端末３から送信される情報を受信可能な構成となっている。
【００１７】
図２は、図１に示す伝言配信システムに適用される自動改札装置の外観を示す斜視図であり、図３は、図２に示す自動改札装置の概略構成を示す機能ブロック図である。
【００１８】
この自動改札装置２は、図１に示すように、通常、２台１組として設置され、両者の間に通行者が通行する改札通路が形成される。そして、この自動改札装置２は、磁気券及び無線ＩＣカードの両方を処理できる。
【００１９】
図２に示すように、自動改札装置２の上面の一端部には、たとえば、有効期間や利用可能区間などの改札情報が磁気エンコード記録された乗車券（定期券、普通乗車券、回数券など）やＳＦカードなどの磁気券を受け取る投入口１７が設けられ、他端部には、投入口１７から投入された磁気券を返却する排出口１８が設けられている。なお、投入口１７には、必要に応じて開閉するシャッタが設けられている。排出口１８の前方には、通行者や駅員などに対して各種案内を行なうための案内表示部６が設けられている。
【００２０】
投入口１７の前方、即ち改札通路の入口側には、アンテナ１６ａが設けられている。アンテナ１６ａは、たとえば、ループ状アンテナなどで構成されていて、通行者によりかざされる無線ＩＣカードと無線通信を行なう。これにより、アンテナ１６は、無線ＩＣカードから送信されるデータを受信したり、無線ＩＣカードに対してデータを送信したりする。なお、後述する伝言配信処理においては、このアンテナ１６ａは、主に無線ＩＣカードに記憶された情報の読み取りに利用される。
【００２１】
また、排出口１８の前方、即ち改札通路の出口側には、アンテナ１６ｂが設けられている。アンテナ１６ｂは、アンテナ１６ａと同様に、たとえば、ループ状アンテナなどで構成されていて、通行者によりかざされる無線ＩＣカードと無線通信を行なう。これにより、アンテナ１６ｂは、無線ＩＣカードから送信されるデータを受信したり、無線ＩＣカードに対してデータを送信したりする。なお、後述する伝言配信処理においては、このアンテナ１６ｂは、主に無線ＩＣカードへの伝言情報本体又は伝言コードの送信に利用される。
【００２２】
なお、この例では、アンテナ１６ａが改札通路の入口側に設置され、アンテナ１６ｂが改札通路の出口側に設置されるケースについて説明したが、アンテナの配置はこれだけに限定されるものではない。例えば、アンテナ１６ａを改札通路の入口側に設置し、アンテナ１６ｂを改札通路の中央（自動改札装置２の中央）に設置するようにしてもよい。
【００２３】
或いは、コスト面から、アンテナ１６ａだけを設置し（アンテナ１６ｂは設置しない）、後述する伝言配信処理において、アンテナ１６ａだけで、無線ＩＣカードに記録された情報を読み出したり、無線ＩＣカードへ伝言情報本体又は伝言コードを送信したりするようにしてもよい。
【００２４】
自動改札装置２の側面の両端部には、通行者の通行を制御する開閉動作可能なドア７が設けられており、通行可否の判定結果に基づき、このドア７が開閉制御される。
【００２５】
さらに、自動改札装置２には、センサ取付体８が立設されている。センサ取付体８には、通行者を検知する複数の光学的なセンサ、すなわち、出口検知器９、１０、及び中央通過検知器１３が設けられている。また、自動改札装置２の本体にも、通行者を検知する複数の光学的なセンサ、すなわち、進入検知器１１、１２、及び中央通過検知器１３が設けられている。
【００２６】
出口検知器９は、投入口１７の部分を通過する通行者を検知し、出口検知器１０は、案内表示部６の部分を通過する通行者を検知し、進入検知器１２は、排出口１８の部分を通過する通行者を検知し、進入検知器１１は、アンテナ１６の部分を通過する通行者を検知する。中央通過検知器１３は、自動改札装置２の本体に一対、センサ取付体８に一対と、合計２対（４個）の検知器からなり、通路の中央部を通過する通行者を検知する。
【００２７】
センサ取付体８には、自動改札装置の動作状態（小児券の投入、無効券の投入や機器の異常など）を表示する表示灯１４が設けられている。
【００２８】
図３に示すように、自動改札装置２は、ＣＰＵ２００、メモリ２０２、乗車券受取機構２０３、乗車券搬送機構２０４、乗車券返却機構２０５、乗車券回収機構２０６、乗車券保留機構２０７、情報読取部２０８、情報記録部２１０、改札判定部２１２、通行検知部２１４、開閉制御部２１６、表示制御部２２０、表示灯駆動制御部２２４、伝言処理部２２５、無線通信制御部２２６、通信制御部２３０などを備えている。
【００２９】
ＣＰＵ２００は、各部を制御し、改札処理に関する一連の動作を制御する。メモリ２０２は、ＣＰＵ２００の動作制御プログラム及び運賃情報等を記憶したり、無線ＩＣカード又は磁気券から読み取った情報等を一時記憶したりする。乗車券受取機構２０３は、投入口１７などで構成されており、一人の乗客により投入された一枚の磁気券を受け取る。或いは、乗車券受取機構２０３は、一人の乗客により投入された複数枚の磁気券を一括して受け取る。乗車券搬送機構２０４は、受け取られた磁気券を各部へ搬送する。乗車券返却機構２０５は、排出口１８などで構成されており、受け取られた磁気券を返却する。乗車券回収機構２０６は、乗車券返却機構２０５により返却された磁気券が所定時間経過しても持ち去られない場合に取り忘れを検知し、返却した磁気券を回収する。乗車券保留機構２０７は、回収された磁気券を保留する。
【００３０】
情報読取部２０８は、磁気券から情報を読み取る。情報記録部２１０は、磁気券に対して各種情報を磁気記録又は印刷記録する。改札判定部２１２は、磁気券又は無線ＩＣカードから読み取られた情報に基づき通行の可否を判定する。通行検知部２１４は、検知器９〜１３からの検知出力を受け取り、利用者の通行状況を検知する。ドア開閉制御部２１６は、改札判定結果に基づき、ドア７の開閉を制御する。表示制御部２２０は、例えば改札判定結果に基づき表示部６の表示内容を制御する。表示灯駆動制御部２２４は、磁気券又は無線ＩＣカードから読み取った情報に基づき表示灯１４の駆動を制御する。例えば、小児券の投入、無効券の投入、機器の異常などの動作状態に応じて表示灯１４の駆動を制御する。伝言処理部２２５は、後述する伝言処理において無線ＩＣカードから受け取ったＩＤコードに基づき所定の伝言本体情報及び伝言コードのうちの少なくとも一方を無線ＩＣカードへ送信する伝言処理を担う。無線通信制御部２２６は、アンテナ１６ａ及びアンテナ１６ｂにより無線ＩＣカードと交信し、無線ＩＣカードに記録された情報を読み取ったり、無線ＩＣカードに対して情報を記録したりする。通信制御部２３０は、サーバ１と交信し各種情報を交換する。
【００３１】
図４は、図１に示す伝言配信システムに適用される無線ＩＣカードの外観を示す外観図であり、図５は、図４に示す無線ＩＣカードの概略構成を示す機能ブロック図である。
【００３２】
図４に示すように、無線ＩＣカード４の外面には、液晶等の表示部４１０及び太陽電池パネル４１１が設けられている。機能的に説明すると、図５に示すように、無線ＩＣカード４は、アンテナ４０１、送受信部４０２、整流部４０３、蓄電池４０４、制御部４０５、記憶部４０６、表示部４１０、太陽電池パネル４１１、及び太陽電池４１２を備えている。また、送受信部４０２は、送信部４０２ａ及び受信部４０２ｂを備えている。
【００３３】
アンテナ４０１は、自動改札装置２（アンテナ１６ａ及び１６ｂ）との間で電波の送受信を担う。送信部４０２ａは、制御部４０５の送信制御に基づき自動改札装置２（アンテナ１６ａ及び１６ｂ）に対して送信する送信信号を変調し、アンテナ４０１へ供給する。受信部４０２ａは、アンテナ４０１を介して受信された受信信号を復調し、制御部４０５へ供給する。整流部４０３は、アンテナ４０１を介して受信された充電電波を整流して電気エネルギに変換し、この電気エネルギを蓄電池４０４へ送るものである。蓄電池４０４は、整流部４０３から送られる電気エネルギを蓄積（充電）し、カードの各部に動作電源を供給する。記憶部４０６は、ＩＤコード（カード固有情報）を記憶する。この無線ＩＣカード４は、自動改札装置での改札処理に使用可能なカードであり、記憶部４０６には、運賃や乗車券購入代金として利用可能な金額情報が記憶されたり、カードが定期券として機能するための有効期限付きの有効乗車区間情報が記憶されたりする。言い換えると、記憶部４０６には、金額情報及び有効期限付きの有効乗車区間情報のうちの少なくとも一方が記憶される。さらに、この記憶部４０６には、複数の伝言コードと、各伝言コードに対応する定型伝言情報とが記憶される。これら各伝言コードに対応する定型伝言情報の用途については後に詳しく説明する。
【００３４】
自動改札装置２は、例えばポーリングと呼ばれる通信方式により無線ＩＣカード４と通信する。まず、自動改札装置２の無線通信制御部２２６は、アンテナ１６ａ又は１６ｂにより、無線ＩＣカード４に対してレスポンスを要求するレスポンス要求信号（ポール）を送信する。無線ＩＣカード４は、アンテナ４０１を介して、自動改札装置２からのレスポンス要求信号（ポール）を受けて、整流部４０３によりこのレスポンス要求信号から電力が生成され、生成された電力が蓄電池４０４へ蓄積され、蓄電池４０４に蓄積された電力が各部へ供給される。また、無線ＩＣカード４は、受け取ったレスポンス要求信号（ポール）に対応して、自動改札装置２に対してレスポンスを返す。自動改札装置２は、アンテナ１６ａ又は１６ｂにより、無線ＩＣカード４から送信されるレスポンスを受信し、無線ＩＣカード４と実際のデータの送受信を行なう。
【００３５】
表示部４１０は、例えば液晶パネルで構成されており、記憶部４０６に記憶される情報、例えば自動改札装置２からの受信信号に含まれる情報を表示する。この表示部４１０には、太陽電池４１２からの電力が供給される。太陽電池パネル４１２は、光エネルギを電気エネルギに変換し太陽電池４１２へ供給する。このように表示部４１０には太陽電池が利用されているため、表示部４１０に表示された情報を確認したユーザが、無線ＩＣカード４をカードケースに収めたり、ポケットに入れたりすることにより、表示部４１０の表示は自動的に消去される。
【００３６】
なお、本実施形態では、表示部４０１については太陽電池４１２から供給される電力により動作し、表示部４０１以外の各部については受信信号から生成される電力により動作する無線ＩＣカードについて説明したが、この発明はこれに限定されるものではない。例えば、受信信号から生成される電力が十分であれば、この電力だけで無線ＩＣカードの全てを動作させるようにしてもよい。
【００３７】
次に、上記説明した伝言配信システムにおける伝言配信処理について説明する。伝言の送信を希望する送信希望者は、インターネットやイントラネットに接続可能なパーソナルコンピュータや携帯電話などの外部端末３を利用して、無線ＩＣカード４（の利用者）に対して伝言を送信することができる。オリジナルの伝言を送信したい場合、送信希望者は、外部端末３に対して、無線ＩＣカード４のＩＤコード及びオリジナルの伝言情報（伝言情報本体）を入力する。オリジナルの伝言情報には、例えば固有名詞（人名、場所など）などを含めることができる。定型の伝言を送信したい場合には、配信希望者は、外部端末３に対して、無線ＩＣカード４のＩＤコード及び伝言コードを入力する。伝言コードに対応する定型伝言情報は、例えば外部端末３をサーバ１に接続することにより、外部端末３の画面上で確認することができる。
【００３８】
なお、ここでは、送信希望者が、直接ＩＤコードを入力するケースについて説明するが、ＩＤコードは覚え難いため、例えば次のようにすることもできる。予めサーバ１の記憶部１０２に、無線ＩＣカードの利用者の氏名及び電話番号とこの無線ＩＣカードのＩＤコードとを関連付けて記憶しておく。送信希望者は、ＩＤコードの入力の替わりに氏名と電話番号を入力すれば、サーバ１により入力された氏名と電話番号からＩＤコードが特定される。
【００３９】
外部端末３を介して入力されたＩＤコード及びオリジナルの伝言情報、或いはＩＤコード及び伝言コードは、サーバ１に送信される。サーバ１は、通信部１０１を介して、ＩＤコード及びオリジナルの伝言情報、或いはＩＤコード及び伝言コードを受信し、記憶部１０２に記憶（登録）する。
【００４０】
図６は、サーバ１で管理される伝言データフォーマットの一例を示す図である。この伝言データフォーマットは、外部端末１から送信される情報に基づき生成されるデータフォーマットである。即ち、伝言データフォーマットは、ＩＤコード及びオリジナルの伝言情報、或いはＩＤコード及び伝言コードに基づき生成されるデータフォーマットである。
【００４１】
図６に示すように、伝言データフォーマットは、固定情報エリア、定型メッセージコードエリア、非定型メッセージコードエリアを備えている。固定情報エリアには、外部端末３から送信されたＩＤコードが格納される。定型メッセージコードエリアには、外部端末３から送信された伝言コードが格納される。外部端末３から、伝言コードが送信されずオリジナルの伝言情報だけが送信されてきた場合には、この定型メッセージコードエリアには、定型の伝言を使用しないことを示すコードが格納される。非定型メッセージコードエリアには、外部端末から送信されたオリジナルの伝言情報（伝言情報本体）が格納される。なお、上記説明では、オリジナルの伝言情報或いは伝言コードのどちから一方だけが入力される如く記載したが、この発明はこれに限定されるものではない。例えば、外部端末３に対して、ＩＤコード、オリジナルの伝言情報、さらに伝言コードを入力することにより、オリジナルの伝言情報と定型の伝言情報の両方を送信することも可能である。この場合、伝言データフォーマットの定型メッセージコードエリアには所定の伝言コードが格納され、さらに非定型メッセージコードエリアにはオリジナルの伝言情報が格納される。
【００４２】
次に、図７に示すフローチャートを参照して、伝言の送信処理について説明する。即ち、無線ＩＣカード４を利用して自動改札装置２による改札処理を受けるケースについて説明する。
【００４３】
無線ＩＣカード４の所有者が改札処理を受けようとする場合、カード所有者は無線ＩＣカード４をアンテナ１６ａにかざす。これに伴い、無線ＩＣカード４と自動改札装置２との間で無線通信が開始される。自動改札装置２の無線通信制御部２２６は、アンテナ１６ａを介して、無線ＩＣカード４から送信される情報を読み取る（ＳＴ１）。読み取った情報には、例えば無線ＩＣカード４のＩＤコードが含まれている。さらには、読み取った情報には、改札処理に必要な有効期限付きの有効乗車区間情報が含まれていたり、入場情報（入場駅と入場時刻などの情報）が含まれていたり、金額情報が含まれていたりする。
【００４４】
自動改札装置２の改札判定部２１２は、これら改札処理に必要な情報に基づき改札処理を実行する。また、自動改札装置２の伝言処理部２２５は、読み取られたＩＤコードに対する伝言情報の有無をサーバ１に問合せる（ＳＴ２）。この間、自動改札装置２は、例えば図８に示すような音声案内を出力し、伝言有無の問合せ中であることを案内する（ＳＴ３）。同時に、例えば図９に示すように自動改札装置２の表示部６の一部の背景色を変えて、伝言有無の問合せ中であることを案内表示する（ＳＴ４）。これら案内により、旅客、即ちカード所有者に待機を促す。
【００４５】
サーバ１は、通信部１０１を介して、自動改札装置２からの伝言情報の有無の問合せ及びＩＤコードを受信する。サーバ１の検索部１０３は、受信したＩＤコードに基づき、記憶部１０２に記憶されたデータフォーマットの中から、受信したＩＤコードを含むデータフォーマットを検索する。この検索により、受信したＩＤコードを含むデータフォーマットが検出されなければ、つまり配信待ちの伝言が無ければ（ＳＴ５、ＮＯ）、サーバ１から自動改札装置２に対して伝言無しが通知され、これに対応して自動改札装置２の表示部６の背景色が元に戻され（ＳＴ６）、伝言無しが案内される。この検索により、受信したＩＤコードを含むデータフォーマットが検出されれば、つまり配信待ちの伝言が有れば（ＳＴ５、ＹＥＳ）、サーバ１から自動改札装置２に対してデータフォーマットに含まれている伝言コード又は伝言情報（伝言情報本体）が送信される（ＳＴ７）。なお、伝言コードと伝言情報の両方が送信されることもある。
【００４６】
伝言コード又は伝言情報、或いは伝言コードと伝言情報の両方を受信した自動改札装置２は、例えば図８に示すような音声案内を出力し、進行方向出口側のカード読み取り部分にカードをタッチするように案内する（ＳＴ８）。同時に、例えば図１０に示すように自動改札装置２の表示部６の一部の背景色を変えて、メッセージの受信を促す。無線ＩＣカード４がアンテナ１６ｂにタッチされると、これに伴い、無線ＩＣカード４と自動改札装置２との間で再び無線通信が開始される。このときの無線ＩＣカード４とアンテナ１６ｂとの間の無線通信は、次客の無線ＩＣカード４とアンテナ１６ａとの間の無線通信を妨げない。自動改札装置２の無線通信制御部２２６は、アンテナ１６ｂを介して、無線ＩＣカード４から送信される情報を読み取り、無線ＩＣカード４のＩＤコードをチェックする（ＳＴ９）。前回、アンテナ１６ａを介して読み取られたＩＤコードと、今回、アンテナ１６ｂを介して読み取られたＩＤコードとが一致しない場合は（ＳＴ１０、ＮＯ）、自動改札装置で受信された伝言コードや伝言情報は破棄される（ＳＴ１１）。両ＩＤコードが一致する場合は（ＳＴ１０、ＹＥＳ）、アンテナ１６ｂを介して、無線ＩＤカード４に対して伝言コード又は伝言情報、或いは伝言コードと伝言情報の両方が送信される。
【００４７】
無線ＩＤカード４が伝言情報を受信した場合には、そのまま受信した伝言情報が記憶部４０６に記憶される（ＳＴ１１）。無線ＩＤカード４が伝言コードを受信した場合には、この受信した伝言コードに基づいて無線ＩＤカード４の記憶部４０６に予め記憶された定型伝言情報が選出される。既に説明したように、無線ＩＤカード４の記憶部４０６には、複数の伝言コードと、各伝言コードに対応する定型伝言情報とが記憶されているので、受信した伝言コードを定型伝言情報に変換することができる。伝言情報を記憶したり、受信した伝言コードから定型伝言情報を選出したりした無線ＩＣカード４は、記憶した伝言情報や選出した定型伝言情報を表示部４１０に表示する（ＳＴ１２）。
【００４８】
自動改札装置２は、無線ＩＤカード４に対して伝言コード又は伝言情報、或いは伝言コードと伝言情報の両方を送信した後、表示部６の一部の背景色を元の色に戻し（ＳＴ１３）、改札通路上の旅客（無線ＩＣカード４の所有者）を通過させるような案内を表示部６上に表示する（ＳＴ１４）。
【００４９】
以上説明したようにこの発明の伝言配信システムによれば、次のような作用効果が得られる。例えば、定期券などの乗車券として使用される無線ＩＣカードを表示媒体にして、この無線ＩＣカードに対して自動改札装置から伝言情報や伝言コードを送信し、無線ＩＣカード上に伝言情報を表示することができる。さらに、上記実施形態では、自動改札装置により伝言情報や伝言コードを送信するケースについて説明したが、他の駅務機器、例えば自動券売機、自動精算機、定期券発行機により伝言情報や伝言コードを送信するようにしてもよい。これにより、携帯電話以外の連絡手段をもつことができ、携帯電話により連絡が取れない場合に、非常に便利である。上記実施形態で説明した伝言情報は、知人からのものだけでなく、例えば事業者からの宣伝案内などであってもよい。
【００５０】
また、自動改札装置の進行方向からみて入口側と出口側の両方にアンテナ（リーダライタ）を設けることにより、自動改札装置に並行する改札通路に入り込んだ後に、情報の書き込み処理が可能となり、次客の進入を妨げない効果もある。
【００５１】
また、上記したように、伝言コードの利用により、伝言情報本体の送受信が不要となり、送受信の対象となるデータ量を削減することができる。
【００５２】
また、上記実施形態では、無線ＩＣカード４からＩＤコードを受信してから、サーバ１に伝言情報の有無を問合せ、サーバ１から該当する伝言情報や伝言コードを受け取り、無線ＩＣカード４へ送信するケースについて説明したが、この発明はこれだけに限定されるものではない。例えば、サーバ１は、各自動改札装置、さらには自動券売機、自動精算機、定期券発行機などの全ての駅務機器に対して、予め全ての伝言データフォーマットを転送しておくようにしてもよい。この場合、所定の駅務機器が、無線ＩＣカード４からＩＤコードを受信したときに、サーバ１への伝言情報の有無の問合せは不要となり、受信したＩＤコードに基づいて転送済みの伝言データフォーマットの中から該当する伝言データフォーマットを検索し、該当する伝言データフォーマットに含まれる伝言情報や伝言コードを無線ＩＣカード４へ送信する。これにより、無線ＩＣカード４からＩＤコードを受信してから伝言を返すまでの時間を短縮することができる。この場合、所定の駅務機器により伝言の送信が完了すると、この所定の駅務機器は所定のＩＤコードの伝言送信完了をサーバ１へ通知する。サーバ１は、所定のＩＤコードを含む伝言データフォーマットの消去を他の各駅務機器へ通知する。
【００５３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５４】
【図１】この発明の一例に係る伝言配信システムの概略構成を示す図である。
【図２】図１に示す伝言配信システムに適用される自動改札装置の外観を示す斜視図である。
【図３】図２に示す自動改札装置の概略構成を示す機能ブロック図である。
【図４】図１に示す伝言配信システムに適用される無線ＩＣカードの外観を示す外観図である。
【図５】図４に示す無線ＩＣカードの概略構成を示す機能ブロック図である。
【図６】サーバで管理される伝言データフォーマットの一例を示す図である。
【図７】自動改札装置による無線ＩＣカードを利用した伝言情報の受信処理を説明するためのフローチャートである。
【図８】自動改札装置による無線ＩＣカードを利用した伝言情報の受信処理に伴い出力される音声案内の一例を説明するための図である。
【図９】自動改札装置による無線ＩＣカードを利用した伝言情報の受信処理に伴い出力される表示画面（伝言情報の有無の問合せ中の画面）の一例を説明するための図である。
【図１０】自動改札装置による無線ＩＣカードを利用した伝言情報の受信処理に伴い出力される表示画面（メッセージ受信の画面）の一例を説明するための図である。
【符号の説明】
【００５５】
１…サーバ、２…自動改札装置、３…外部端末、４…無線ＩＣカード、６…表示部、１６ａ、１６ｂ…アンテナ、１０１…通信部、１０２…記憶部、１０３…検索部、２００…ＣＰＵ、２１２…改札判定部、２２５…伝言処理部、２２６…無線通信制御部、２３０…通信制御部、４０１…アンテナ、４０２…送受信部、４１０…表示部、４１１…太陽電池パネル、４１２…太陽電池
【図１】
2005196393.tif 000003
【図２】
2005196393.tif 000004
【図３】
2005196393.tif 000005
【図４】
2005196393.tif 000006
【図５】
2005196393.tif 000007
【図６】
2005196393.tif 000008
【図７】
2005196393.tif 000009
【図８】
2005196393.tif 000010
【図９】
2005196393.tif 000011
【図１０】
2005196393.tif 000012